(57)【要約】【課題】集塵室内の塵埃を手を汚すことなく確実に引きずり出せる電気掃除機を提供する。【解決手段】電動送風機（図示せず）とダストボックス収納部（図示せず）を有する掃除機本体（図示せず）と、ダストボックス収納部に着脱自在に装着されるダストボックスユニット４とを備え、ダストボックスユニット４は、塵埃を捕集すると共に塵埃を取り出すための開口部４３ｂ、４７ｂを有する粗塵室４３と細塵室４７と、開口部４３ｂ、４７ｂを開閉自在に覆う蓋体４８と、粗塵室４３と細塵室４７内の塵埃の堆積方向と略平行な掻き出し板８２ａ、８２ｂとを備え、掻き出し板８２ａ、８２ｂに塵埃を引っ掛ける引っ掛け部８２ｃ、８２ｄを設けたもので、粗塵室４３と細塵室４７に堆積した塵埃を、手を汚すことなく掻き出し板８２ａ、８２ｂで確実に引きずり出すことができる。【選択図】図１４
2006061541.tif 000002
【特許請求の範囲】
【請求項１】
電動送風機とダストボックス収納部を有する掃除機本体と、前記ダストボックス収納部に着脱自在に装着されるダストボックスユニットとを備え、前記ダストボックスユニットは、塵埃を捕集すると共に前記塵埃を取り出すための開口部を有する集塵室と、前記開口部を開閉自在に覆う蓋体と、前記集塵室内での前記塵埃の堆積方向と略平行な掻き出し板とを備え、前記掻き出し板に前記塵埃を引っ掛ける引っ掛け部を設けた電気掃除機。
【請求項２】
引っ掛け部を掻き出し板の先端に延設した請求項１に記載の電気掃除機。
【請求項３】
引っ掛け部を櫛歯状に形成した請求項１又は２に記載の電気掃除機。
【請求項４】
引っ掛け部の先端側を根元側より細く形成した請求項１〜３のいずれか１項に記載の電気掃除機。
【請求項５】
掻き出し板を蓋体に一体又は一体的に形成し、前記蓋体の一端をダストボックスユニットに回動自在に取り付けた請求項１〜４のいずれか１項に記載の電気掃除機。
【発明の詳細な説明】
【技術分野】
【０００１】
本発明は、着脱自在のダストボックスを有する電気掃除機に関するものである。
【背景技術】
【０００２】
従来のこの種の電気掃除機として、掃除機本体に着脱自在に装着されると共に塵埃を捕集するダストボックスを備え、そのダストボックスに開閉自在の蓋を設け、その蓋を開けてダストボックス内に蓄積した塵埃を廃棄するようにしたものが有る（例えば、特許文献１参照）。
【特許文献１】特開２００４−１２１７２２号公報
【発明の開示】
【発明が解決しようとする課題】
【０００３】
しかしながら、上記のような電気掃除機の構成では、ダストボックス内のごみが綿ゴミや軽いごみの場合は、蓋を開けてもその塵埃が、ダストボックスから落ちることなく留まる時があり、その時は、素手或いはお箸などでごみを引きずりださなければならず、不衛生で、且つ非常に手間がかかるという課題があった。
【０００４】
本発明は、前記従来の課題を解決するもので、ダストボックス内のごみを手を汚すことなく廃棄できる、使用勝手の良い電気掃除機を提供する事を目的とする。
【課題を解決するための手段】
【０００５】
前記従来の課題を解決するために、本発明の電気掃除機は、電動送風機とダストボックス収納部を有する掃除機本体と、前記ダストボックス収納部に着脱自在に装着されるダストボックスユニットとを備え、前記ダストボックスユニットは、塵埃を捕集すると共に前記塵埃を取り出すための開口部を有する集塵室と、前記開口部を開閉自在に覆う蓋体と、前記集塵室内での前記塵埃の堆積方向と略平行な掻き出し板とを備え、前記掻き出し板に前記塵埃を引っ掛ける引っ掛け部を設けたもので、集塵室に堆積した塵埃を、手を汚すことなく掻き出し板で確実に引きずり出すことができる。
【発明の効果】
【０００６】
本発明の電気掃除機は、着脱自在のダストボックスユニットに形成された集塵室に堆積した塵埃を手を汚すことなく確実に引きずり出すことができる。
【発明を実施するための最良の形態】
【０００７】
第１の発明は、電動送風機とダストボックス収納部を有する掃除機本体と、前記ダストボックス収納部に着脱自在に装着されるダストボックスユニットとを備え、前記ダストボックスユニットは、塵埃を捕集すると共に前記塵埃を取り出すための開口部を有する集塵室と、前記開口部を開閉自在に覆う蓋体と、前記集塵室内での前記塵埃の堆積方向と略平行な掻き出し板とを備え、前記掻き出し板に前記塵埃を引っ掛ける引っ掛け部を設けたもので、集塵室に堆積した塵埃を、手を汚すことなく掻き出し板で確実に引きずり出すことができる。
【０００８】
第２の発明は、特に、第１の発明の引っ掛け部を掻き出し板の先端に延設したもので、集塵室の奥まで詰まった塵埃を取り出すことができる。
【０００９】
第３の発明は、特に、第１又は第２の発明の引っ掛け部を櫛歯状に形成したもので、塵埃を確実に引っ掛ける事ができるので、取り残しがない。
【００１０】
第４の発明は、特に、第１〜３のいずれか１つの発明の引っ掛け部の先端側を根元側より細く形成したもので、引っ掛け部に引っ掛けた塵埃を取り除くのが容易になる。
【００１１】
第５の発明は、特に、第１〜４のいずれか１つの発明の掻き出し板を蓋体に一体又は一体的に形成し、前記蓋体の一端をダストボックスユニットに回動自在に取り付けたもので、蓋体の開閉動作と同時に、集塵室内の塵埃が引き出されるので、塵埃の取り出し、廃棄が容易で使用勝手が大幅に向上する。
【００１２】
以下、本発明の実施の形態について、図面を参照しながら説明する。なお、この実施の形態によって本発明が限定されるものではない。
【００１３】
（実施の形態１）
本発明の第１の実施の形態における電気掃除機について、図１〜１４を用いて説明する。
【００１４】
図１は、本実施の形態における電気掃除機の全体斜視図、図２は、同電気掃除機の上面図、図３は、同電気掃除機の断面図である。
【００１５】
図１において、１は掃除機本体で、後部に電動送風機２を内蔵した電動送風機室３が配され、前部に、着脱自在で塵埃を分離捕集するダストボックスユニット４を収納するダストボックス収納部５が配され、後方下部の両側に１対の走行用の車輪６が回転自在に取着され、底面前部には、同じく走行用のキャスター７が取着されている。掃除機本体１の前部には、ホース８の一端に設けた接続パイプ９が着脱自在に接続される吸入口１０が設けられている。
【００１６】
ホース８の他端には、掃除の際に握る把手を備えた先端パイプ１２が設けられている。１３は、伸縮自在或いは継ぎ自在の延長管で、下流側端部が前記先端パイプ１２に着脱自在に接続され、他端は、塵埃掻き揚げ用の回転ブラシ１４と、その回転ブラシ１４を回転駆動するモータ１５を内蔵した吸い込み具１６に着脱自在に接続される。
【００１７】
１７は、掃除機本体１の側面に設けられた開口部で、ダストボックス収納部５に装着されたダストボックスユニット４の透明材料で形成された外郭側面が外から見えるようになっている。
【００１８】
１８は、弾性材料から形成され掃除機本体１の前部から両側にかけて延設されたバンパーで、掃除機本体１の走行時に家具、柱などに衝突してもそれらに傷をつけないようにするためのもので、また、掃除機本体１に設けた開口部１７と対向する部分が図に示されるように、くりぬかれている。
【００１９】
１９は、掃除機本体１を持ち運ぶ際に立てて使用する本体ハンドルで、掃除機本体１の重心を通る垂直線上に回動中心が位置するように掃除機本体１の上部に回動自在に取り付けられている。
【００２０】
２０は、ダストボックスユニット４の持ち運び用のボックスハンドルで、上端がダストボックスユニット４に回動自在に軸支され、その前端は、通常図１に示すようにダストボックスユニット４に収納されているが、ダストボックスユニット４を持ち運ぶ時や、掃除機本体１のダストボックス収納部５から取り外す時に、前部を持ち上げると、前端が上方に飛び出し、ボックスハンドル２０が握れるようになる。
【００２１】
２１は、ダストボックスユニット４を掃除機本体１のダストボック収納部５に収納した時にダストボックスユニット４の前端を保持する尾錠で、尾錠バネ２１ａで後方側に付勢されている。
【００２２】
図３において、掃除機本体１の外郭は、その下部を形成すると共に後方にコードリール２２を収納するコードリール収納部２３を形成した下ボディ１ａと、後部に電動送風機室３を形成した上ボディ１ｂからなり、電動送風機室３の底部は下ボディ１ａで覆われる。２４は、下ボディ１ａに形成されたコードリール収納部２３を覆うコードリール蓋で、そのコードリール蓋２４及び下ボディ１ａの夫々に設けた軸支部２５でコードリール２２が回動自在に軸支されている。
【００２３】
コードリール２２は、電源コード３２を巻き付けると共に上下にフランジ部２２ａを有するドラム部２２ｂと、前記ドラム部２２ｂを電源コード３２を巻き付ける方向に付勢するバネ材２２ｃから構成されている。
【００２４】
２６は、コードリール２２に内蔵されたバネ材２２ｃの付勢力に抗して外部に引き出された電源コード３２を、コードリール２２内に巻き戻す際に操作する巻き戻し釦で、その巻き戻し釦２６を下方に押すことにより、ブレーキローラー（図示せず）によるコードリール２２の回動阻止が解除され、コードリール２２がバネ材２２ｃの付勢力で電源コード３２を巻き上げるようになっている。
【００２５】
電動送風機２の前部は、弾性材料からなるサポート前２７で、後部は、同じく弾性材料からなるサポート後２８で、電動送風機室３内に支持されている。２９は、電動送風機室３とダストボックス収納部５とを仕切る隔壁で、略中央に電動送風機２の吸入開口２ａと連通する格子状の隔壁開口部３０が設けられ、その隔壁開口部３０は、ダストボックス収納部５側から三次フィルター３１で覆われている。
【００２６】
図４は、掃除機本体１からダストボックスユニット４を取り外した時の斜視図であり、吸入口１０の後方にパッキン３７が設けられ、ダストボックス収納部５の後方下部には、図示しない機構により、電源コード３２の引き出し操作に連動して回転して後述の除塵板５７を弾く弾きローラー３３が設けられている。３９は、弾きローラー３３の周囲を覆うカバーで、弾きローラー３３に髪の毛等が巻きついたときに、カバー３９を外せば、容易に取り除くことができる。
【００２７】
弾きローラー３３は、弾き片３３ａと、それを挟み込むように形成されたフランジ３３ｂで形成されている。
【００２８】
次に、ダストボックスユニット４の構成について図５〜１１を用いて説明する。
【００２９】
図において、ダストボックスユニット４は、ダストボックス本体４０と、ダストボックス本体４０の後方開口部に着脱自在に装着されるフィルターユニット４１から構成されている。
【００３０】
最初に、吸い込み具１６から空気と共に吸引された塵埃の捕集構成について述べる。ダストボックス本体４０の前部に、ダストボックスユニット４を掃除機本体１のダストボックス収納部５に装着した時に、掃除機本体１の吸入口１０の後方に設けたパッキン３７に気密に圧接し連通する吸入口Ａ４２と、尾錠２１が係合する尾錠凹部５２が設けられている。
【００３１】
ダストボックス本体４０は、さらに、吸入口Ａ４２に直接連通すると共に粗塵を収納する粗塵室４３と、連通口Ａ４４を介して粗塵室４３と連通すると共に吸引風に含まれた細塵を遠心分離する遠心分離室４５と、遠心分離室４５の周壁の一部に設けた連通口Ｂ４６から落下する細塵を捕集する細塵室４７と、前記粗塵室４３と細塵室４７の夫々の開口部４３ｂ、４７ｂを覆うと共に後方端部がダストボックス本体４０に回動自在に軸支された蓋体４８を備えている。蓋体４８は、コイルバネ４９により開成方向に付勢されており、通常は、ダストボックス本体４０に設けた係止片５０で、その前部が閉じた状態に保持されており、ボックスハンドル２０の前部に設けた解除釦５１を押すと、それに連結された連結機構（後述する）を介して係止片５０が外方に移動し、蓋体４８がコイルバネ４９の付勢力で開くようになっている。
【００３２】
図５（ｃ）に示すように、遠心分離室４５の前部断面形状は、天面が平坦なＤカット状に形成されている。これは、掃除機本体１の外郭の一部を成すダストボックスユニット４の前部の表面を低く見せ、デザイン状のバリエーションを広げるためである。さらに連通口Ｂ４６の細塵室４７側には、筒状のリブ４５ｃが延設され、細塵室４７に流入した細塵が遠心分離室４５に逆流させないためのものである。
【００３３】
また、ダストボックス本体４０の粗塵室４３と細塵室４７を形成している外郭部分は、半透明材料で形成され、外部から堆積した塵埃の量がわかるようになっている。
【００３４】
ダストボックス本体４０の後側には、ダストボックスユニット４や、その構成部品に付着した塵埃を清掃する為のクリーニングブラシ５３を収納するブラシ収納部４０ａが設けられている。
【００３５】
フィルターユニット４１は、枠体５４と、プリーツ折りされそのプリーツ目を縦方向にして枠体５４に設けられた二次フィルタ５５と、枠体５４の内側に橋渡し状に形成され、二次フィルタ５５をその折り目方向に直交する方向で保持するリブ体５６と、鋼鈑など弾性に富んだ金属材からなり、下部がそれ自信の弾性力で枠体５４側に押しつけられるように上部が枠体５４の上部に取り付けられた除塵板５７とを備えている。フィルターユニット４１の枠体５４の下流側端部には全周に渡ってリップ５８が、一体又は一体的に形成され、ダストボックスユニット４を、ダストボックス収納部５に装着した時に、そのリップ５８が、掃除機本体１の隔壁２９のダストボックス収納部５側の面に圧接され、電動送風機２の運転時に外気が吸引されないようになっている。
【００３６】
フィルターユニット４１の前面５９は、二次フィルタ５５の上流側を覆うと共に、フィルターユニット４１をダストボックス本体４０に装着した時に、粗塵室４３、遠心分離室４５、細塵室４７の夫々の後方開口部４３ａ、４５ａ、４７ａを気密に覆うようになっている。さらにフィルターユニット４１の前面５９の、前記後方開口部４３ａ、４５ａ、４７ａの夫々に対応する位置に、開口Ａ６０、開口Ｂ６１、開口Ｃ６２が設けられ、かつ、各開口Ａ６０、開口Ｂ６１、開口Ｃ６２には一次フィルタ６０ａ、６１ａ、６２ａが設けられて、フィルターユニット４１内に粗塵や、細塵が浸入するのを防止している。
【００３７】
除塵板５７の下端には、突片５７ａが延設され、図１０、図１１の要部断面図に示すように、ダストボックスユニット４をダストボックス収納部５に装着した時に、掃除機本体１に設けた弾きローラー３３に近接するように配されており、この状態で電源コード３２を引き出すと、その引き出し動作に連動して弾きローラー３３が回転し、山状に形成された弾き片３３ａが、除塵板５７の弾性力に抗して除塵板５７の突片５７ａを後方に移動させ、その突片５７ａが弾き片３３ａを乗り越えると（図１１参照）、除塵板５７の弾性力で元の左方向に一気に戻ろうとする。この時、除塵板５７の一部がリブ体５６の先端に当たってリブ体５６に強い衝撃が加わり、これにより二次フィルタ５５に強い振動が加わり、二次フィルタ５５に付着していた細塵が振り落とされ、二次フィルタ５５の濾過性能が復活する。
【００３８】
上記構成による動作、作用は以下の通りである。
【００３９】
電気掃除機の使用開始に当たり、掃除機本体１より電源コード３２を引き出すと、その引き出し動作に連動して、弾きローラー３３が回転すると、その弾き片３３ａが除塵板５７に設けた突片５７ａを弾き、フィルターユニット４１のリブ体５６に強い衝撃が加わり、前回までの掃除の際に二次フィルター５５に付着した細塵がふるい落とされ、二次フィルター５５の濾過能力が回復する。
【００４０】
次に、電源コード３２を図示しない壁のコンセントにさし込んで、電気掃除機の運転を開始すると、電動送風機２による吸引力が、二次フィルター５５、開口Ａ６０、開口Ｂ６１、開口Ｃ６２、一次フィルタ６０ａ、６１ａ、６２ａを経て、粗塵室４３、遠心分離室４５、細塵室４７に及び、ホース８、延長管１３を経て吸い込み具１６に至る。そして、吸い込み具１６から吸引された塵埃を含んだ空気が、掃除機本体１の吸入口１０を通って、ダストボックス本体４０の吸入口Ａ４２から真っ直ぐ粗塵室４３に入り、一次フィルター６０ａに当たり、そこで粗塵が捕集され、堆積していく。
【００４１】
電動送風機２による吸引力は、遠心分離室４５にも作用しているので、粗塵室４３で、粗塵が除去された空気の一部は、吸入口Ａ４２側に位置する連通口Ａ４４を通って、遠心分離室４５に流入する。ここで、空気は、一次フィルター６１ａの表面に沿ってかつその接線方向から遠心分離室４５に流入するので、塵埃の遠心分離が効果的に行なわれると共に、一次フィルター６１ａに塵埃が付着し難くなり、塵埃による目詰まりが起き難いので、一次フィルター６１ａでの空気圧損の低下を抑制する事ができる。
【００４２】
遠心分離室４５で遠心分離された細塵は、遠心分離室４５の周壁の一部に設けた連通口Ｂ４６から細塵室４７に落下する。一次フィルター６０ａ、６１ａ、６２ａを通過した空気に含まれる微細塵は、二次フィルター５５で捕捉される。
【００４３】
上記構成によれば、粗塵が粗塵室４３で予め捕集されるので、遠心分離室４５での塵埃の遠心分離のための負担が軽減され、しかもそこで分離された細塵が細塵室４７で捕集されるので、遠心分離室４５に細塵が残るのが抑制され、高い遠心分離性能を長期にわたって維持することができる。
【００４４】
また、細塵室４７における吸気圧損を、遠心分離室４５及び粗塵室４３における吸気圧損より大きくなるように設定しておけば、遠心分離室４５に細塵が残るのが抑制され、高い遠心分離性能を長期にわたって維持できる。
【００４５】
さらに、遠心分離室４５の吸気風量を、少なくとも１．３ｍ3／分以上になるように一次フィルター６０ａ、６１ａ、６２ａの夫々のフィルターの目の大きさや、材料、開口Ａ、Ｂ、Ｃ６０、６１、６２の面積を設定しておけば、電動送風機２を冷却するための空気量が十分確保され、電動送風機２の寿命が長くなり、かつ電動送風機２の異常発熱、焼損を防止することができる。
【００４６】
また、図９に示すように、一次フィルタ６０ａ、６１ａ、６２ａが同一面上に設けられているので、それらを清掃するのが非常に簡単で、しかも清掃漏れもなく、非常に使用勝手が良いものである。なお、上記実施の形態では、一次フィルタ６０ａ、６１ａ、６２ａが面一に設けられているが、多少の段差、具体的には６ｍｍ位までの段差が、一次フィルタ６０ａ、６１ａ、６２ａ間で、或いはそれらと前面５９の表面との間にあっても、清掃がやり易いことにはかわりはない。
【００４７】
次に、ダストボックスユニット４のボックスハンドル２０の回動構成及び蓋体４８の開成操作について、図１２〜図１４を用いて説明する。
【００４８】
図１２は、ボックスハンドル２０に設けた解除釦５１と蓋体４８との連結構成を示す図である。
【００４９】
同図において、ボックスハンドル２０に設けた解除釦５１は、バネ材７５により上方に付勢されると共に、略中央部を支点に傾動自在に設けられた連結部材Ａ７６の一端に接離するように配され、前記連結部材Ａ７６の他端には連結部材Ｂ７７、連結部材Ｃ７８、連結部材Ｄ７９が順に連結されている。
【００５０】
図１３（ａ）は、ボックスハンドル２０がダストボックス本体４０に収納された状態を示している。図１３（ｂ）に示すように、ボックスハンドル２０を起こすと、連結部材Ａ７６、連結部材Ｂ７７、連結部材Ｃ７８、連結部材Ｄ７９が順に連結される。ここで、ボックスハンドル２０に設けた解除釦５１を押すと、図１３（ｃ）に示すように連結部材Ａ７６の連結部材Ｂ７７側端部が上に上がり、それにより連結部材Ｂ７７、連結部材Ｃ７８、連結部材Ｄ７９が上に引き上げられ、連結部材Ｄ７９の下端に設けた傾斜面７９ａにより、回動片８０が時計方向に回動し、回動片８０の下端に形成された係止片５０が左側に移動し、蓋体４８の係止を解除し、蓋体４８が、コイルバネ４９の付勢力で開成する。
【００５１】
また、図１４（ａ）に示すように、蓋体４８の上面の回動中心側には、粗塵室４３、細塵室４７の夫々に臨むと共に、粗塵室４３、細塵室４７の塵埃の堆積方向と略平行に塵埃を掻き出すための掻き出し板８２ａ、８２ｂとが一体に形成され、さらに掻き出し板８２ａ、８２ｂの先端には、塵埃を引っ掛けるための櫛歯状の引っ掛け部８２ｃ、８２ｄが鉛直方向に延設されている。また、引っ掛け部８２ｃ、８２ｄの先端側を根元側より細く形成して、引っ掛けられた塵埃の除去を容易にしている。
【００５２】
上記構成により、ダストボックスユニット４を、図示しないゴミ箱の上に持ってきて、ボックスハンドル２０の先端に設けられた解除釦５１を押すと、蓋体４８が開き、同時に図１４（ｃ）に示すように、粗塵室４３、細塵室４７内の塵埃が掻き出し板８２ａ、８２ｂの引っ掛け部８２ｃ、８２ｄに引っ掛けられると共に掻き出し板８２ａ、８２ｂにより引きずり出され、ゴミ箱内に落下する。
【００５３】
以上のように、本実施の形態によれば、粗塵室４３、細塵室４７内の塵埃を掻き出す掻き出し板８２ａ、８２ｂを設け、その掻き出し板８２ａ、８２ｂに引っ掛け部８２ｃ、８２ｄを設けたので、粗塵室４３、細塵室４７内に堆積した塵埃を、手を汚すことなく掻き出し板８２ａ、８２ｂで確実に引きずり出すことができる。
【００５４】
また、引っ掛け部８２ｃ、８２ｄを掻き出し板８２ａ、８２ｂの先端に延設したので、粗塵室４３、細塵室４７の奥まで詰まった塵埃を取り出すことができる。
【００５５】
さらに、引っ掛け部８２ｃ、８２ｄを櫛歯状に形成したので、塵埃を確実に引っ掛ける事ができ、取り残しがない。
【００５６】
また、引っ掛け部８２ｃ、８２ｄの先端側を根元側より細く形成したので、引っ掛け部８２ｃ、８２ｄに引っ掛けた塵埃を取り除くのが容易になる。
【００５７】
さらに、掻き出し板８２ａ、８２ｂを、一端をダストボックスユニット４に回動自在に取り付けた蓋体４８に一体に形成したので、蓋体４８の開閉動作と同時に、粗塵室４３、細塵室４７内の塵埃が引き出されるので、塵埃の取り出し、廃棄が容易で使用勝手が大幅に向上するものである。
【産業上の利用可能性】
【００５８】
以上のように本発明にかかる電気掃除機は、着脱自在のダストボックスユニットに形成された集塵室に堆積した塵埃を手を汚すことなく確実に引きずり出すことができるもので、塵埃を蓄積する着脱自在のダストボックスユニットを有する家庭用、業務用電気掃除機や、空気清浄機等にも適用できる。
【図面の簡単な説明】
【００５９】
【図１】本発明の実施の形態１における電気掃除機の全体斜視図
【図２】同電気掃除機の上面図
【図３】同電気掃除機の断面図
【図４】同電気掃除機の掃除機本体の斜視図
【図５】（ａ）同電気掃除機のダストボックスユニットの側面図（ｂ）同ダストボックスユニットの平面図（ｃ）図５（ｂ）のＡ−Ａ断面図（ｄ）図５（ｂ）のＢ−Ｂ断面図
【図６】同ダストボックスユニットの正面図
【図７】同ダストボックスユニットの背面図
【図８】同ダストボックスユニットのダストボックス本体の斜視図
【図９】同ダストボックスユニットのフィルターユニットの斜視図
【図１０】同ダストボックスユニットの要部断面図
【図１１】同ダストボックスユニットの要部断面図
【図１２】同ダストボックスユニットの内部構成を示す斜視図
【図１３】（ａ）〜（ｃ）同ダストボックスユニットの蓋の開閉動作を示す部分断面図
【図１４】（ａ）同ダストボックスユニットの下部斜視図（ｂ）同ダストボックスユニットの部分断面図（蓋が閉じた状態）（ｃ）同ダストボックスユニットの部分断面図（蓋が開いた状態）
【符号の説明】
【００６０】
４  ダストボックスユニット
４３  粗塵室
４３ｂ  開口部
４７  細塵室
４７ｂ  開口部
４８  蓋体
８２ａ、８２ｂ  掻き出し板
８２ｃ、８２ｄ  引っ掛け部
【図１】
2006061541.tif 000003
【図２】
2006061541.tif 000004
【図３】
2006061541.tif 000005
【図４】
2006061541.tif 000006
【図５】
2006061541.tif 000007
【図６】
2006061541.tif 000008
【図７】
2006061541.tif 000009
【図８】
2006061541.tif 000010
【図９】
2006061541.tif 000011
【図１０】
2006061541.tif 000012
【図１１】
2006061541.tif 000013
【図１２】
2006061541.tif 000014
【図１３】
2006061541.tif 000015
【図１４】
2006061541.tif 000016